(57)【要約】【課題】簡単且つ高精度に重量調整が可能であり、且つでコスト安価な釣用重錘セットの提供。【解決手段】この重錘１０は、線材２３がコイル状に巻回されて構成されている。線材２３の素線径ｄは、０．１ｍｍ〜２ｍｍに設定され、ピッチは、０．１ｍｍ〜１０ｍｍに設定され、全長Ｌは、１０ｍｍ〜５００ｍｍに設定されている。線材２３は、特に鉛により構成されている。線材２３には、所定間隔ごとに目印が設けられる。重錘１０の長手方向寸法を規定する定規２２が設けられている。重錘１０の重量は、０．３ｇ〜３４０ｇ程度に設定される。【選択図】  図２
2004275132.tif 000002
【特許請求の範囲】
【請求項１】
線状部材がコイル状に巻回されてなる釣用重錘。
【請求項２】
上記線状部材は、その素線径が０．１ｍｍ〜２ｍｍに設定され、そのピッチが０．１ｍｍ〜１０ｍｍに設定されている請求項１に記載の釣用重錘。
【請求項３】
上記線状部材は、その端部から所定長さごとに目印が付されている請求項１又は２に記載の釣用重錘。
【請求項４】
上記線状部材は、鉛からなる請求項１ないし３のいずれかに記載の釣用重錘。
【請求項５】
請求項１ないし４のいずれかに記載の釣用重錘と、
釣用重錘の長手方向寸法を規定することによって当該釣用重錘の重量を表わす定規とを備えた釣用重錘セット。
【発明の詳細な説明】
【０００１】
【発明の属する技術の分野】
この発明は、釣りの際に使用される重錘の構造及びこの重錘を含む釣用重錘セットに関するものである。
【０００２】
【従来の技術】
魚釣りでは、釣人は、ターゲットなる魚に対応された仕掛けを水中に投入し、当該仕掛けに魚がアタックすることを促す。この際に重要なことは、仕掛けが釣人の意図する水深（ヒットポイント）に到達することであるが、特にウキ釣り等の場合には、釣り場の状況（風、波、水流）によっては、仕掛けが釣人の意図するポイントへ正確に到達しないことがある。
そのような場合に、一般に釣人は、重錘を使用する。釣人は、この重錘を仕掛けの所要の位置に取り付け、これによって、仕掛けを意図するポイントへ潜行させる。
【０００３】
ただし、釣人が仕掛けを意図するポイントに正確に到達させるには、釣り場の状況に応じた重錘の重量を正確に調整する必要がある。そのため、従来では、ガン玉と称される略球形の重錘が使用されており、ガン玉は、重量の異なるものが他種類提供されている。
つまり、釣人は、当該状況に最適であろうと考える重量のガン玉を選択し、これを仕掛けに取り付ける。そして、仮に、当該重量のガン玉が用いられた場合であっても、仕掛けが釣人の意図するポイントに到達しない場合には、釣人は、当該ガン玉に加えて他のガン玉を追加するとか、又は、当該ガン玉を取り外して他の重量のガン玉を取り付ける等して、重錘の重量を調整する。
【０００４】
重錘としてガン玉が使用される場合は、重錘の重量の調整は、釣人がガン玉を追加したり取り替えたりすることによって行われるが、この作業は、場合によっては仕掛けそのものが作り直されることもあり、釣人にとって煩わしいものである。
しかも、釣りの際中に釣人が重錘の重量を適宜変えることができるように、ガン玉は、重量の異なるものが他種類提供されてはいるが、その重量調整は正確に行われておらず、同一種類（同一の重量表示）のガン玉であっても、その個体間の重量のばらつきが大きいというのが現状である。
なお、このような不都合は、ガン玉にのみ生じるものではなく、いわゆる中通式の重錘についても同様に発生する。
【０００５】
このような不都合を解消するためには、重錘は、重量調整が可能な単一の部材から構成されるのが望ましく、従来では、重量調整が可能な重錘が提供されている。重量調整が可能な重錘としては、例えば、金属からなる薄肉帯状の部材が提供されており、釣人は、これを仕掛けに巻き付け、必要であれば、これを適宜切断することによって重錘の重量調整を行う。
なお、単体で重量調整が可能な重錘として、いわゆる板重錘が提供されていることは公知であるが、重量調整が可能な重錘に関する文献は、本願出願時において出願人が知り得るものは、存在しない。
【０００６】
【発明が解決しようとする課題】
しかしながら、従来の重量調整機能付き重錘は、重量調整精度が低く、繊細なウキ釣り用仕掛け等に適用することは困難であるという問題があった。
そこで、本発明の目的は、きわめて簡単且つ高精度に重量調整が可能であり、しかも構造が簡単でコスト安価な釣用重錘、並びにこれを含む釣用重錘セットを提供することである。
【０００７】
【課題を解決するための手段】
（１）  上記目的が達成されるため、本願に係る釣用重錘は、線状部材がコイル状に巻回されて形成されていることを特徴とするものである。
【０００８】
この構成によれば、線状部材がコイル状に巻回されることによって、釣用重錘は、全体として中空パイプ状に形成される。したがって、釣糸（釣りの際に使用される仕掛けの一部）は、釣用重錘の内部に挿通することができ、これによって、釣用重錘は、仕掛けが作成される際に、簡単に取り付けられる。
また、一旦仕掛けが作成された後においても、釣用重錘は、線状部材がコイル状に巻回されたものであるから、釣糸は、隣り合う線状部材間から内部に簡単に挿入される。
【０００９】
この釣用重錘は、上記線状部材の長さが変更されることによってその重調が調整される。具体的には、釣用重錘が仕掛けに装着された状態で、釣人が線状部材を所定長さだけ切断することによって、当該所定長さに対応する重量分だけ当該釣用重錘がきわめて簡単に減量される。
しかも、釣用重錘は、線状部材から構成されるから、構造がきわめて簡単である。また、線状部材の単位長さ辺りの重量は小さいので、したがって、精度の高い重量調整が実現される。
【００１０】
（２）  上記線状部材は、その素線径が０．１ｍｍ〜２ｍｍに設定され、そのピッチが０．１ｍｍ〜１０ｍｍに設定されているのが好ましい。
この構成では、線状部材の線形が上記寸法に設定されることにより、線状部材の単位長さあたりの重量がきわめて小さくなる。したがって、釣用重錘の重量調整は、より正確且つ高精度に行われる。
また、線状部材のピッチが上記寸法に設定されることにより、釣糸は、隣り合う線状部材間に容易に挿通される。これにより、一旦仕掛けが作成された後においても、釣用重錘は、釣糸（仕掛け）に簡単に取り付けられる。
【００１１】
（３）  上記線状部材は、その端部から所定長さごとに目印が付されているのが好ましい。
この構成では、釣人は、目印によって、線状部材が所定長さごとに区分けされていることを認識することができる。この区分けは、例えば当該所定長さが単位重量を表示するように設定されていてもよいし、また、各種ガン玉に相当する重量を表示するように設定されていてもよい。
これにより、釣人は、目印を基準に線状部材を切断することによって、釣用重錘の重量を正確に調整することができる。
【００１２】
（４）  上記線状部材は、鉛から構成されているのが好ましい。
この構成では、線状部材の切断がきわめて容易である。しかも、鉛は柔らかい材質であるから、釣人は、釣用重錘の端部等を簡単に押しつぶすことができる。これにより、釣用重錘は、釣糸に確実に固定されることになる。
【００１３】
（５）  さらに、上記釣用重錘と、釣用重錘の長手方向寸法を規定することによって当該釣用重錘の重量を表わす定規とを備えた釣用重錘セットが構成され得る。
【００１４】
この構成によれば、定規は、釣用重錘の長手方向寸法を調べるためのゲージとして機能する。したがって、釣人は、定規を基準にして線状部材を切断することによって、より一層正確且つ高精度に釣用重錘の重量を調整することができる。
【００１５】
【発明の実施の形態】
以下、適宜図面が参照されつつ、好ましい実施形態に基づいて本発明が詳細に説明される。
【００１６】
図１は、本発明の一実施形態に係る釣用重錘１０が取り付けられた釣用仕掛け１１の正面図である。
この釣用仕掛け（以下、単に「仕掛け」と称される。）１１は、ライン１２と、ライン１２が挿通されることによってライン１２に装着されたウキ１３と、後述の要領でライン１２に装着された釣用重錘（以下、単に「重錘」と称される。）１０と、釣針１４が連結されたハリス１５と、ハリス１５とライン１２とを連結するサルカン１６と、ストッパー１７とを備えている。
【００１７】
ライン１２は、図示されていない釣用リールから繰り出され、釣竿１８の釣糸ガイド１９に支持されつつ当該釣竿１８に沿って案内されている。ライン１２には、ウキ止め部材２０が設けられており、ウキ１３がライン１２に対して相対的に移動した場合であっても、このウキ止め部材２０によって、ウキ１３は、それ以上釣竿１８側へ移動することはできない。もっとも、このウキ止め部材２０は、仕掛け１１から取り外される場合もある。
【００１８】
また、ストッパー１７は既知の構成であり、例えばゴム等により円筒状に形成されている。ストッパー１７は、ライン１２が挿通された状態で、図示されていない固定棒が差し込まれることによって、ライン１２に対して固定されている。なお、このストッパー１７は、仕掛け１１から取り外される場合もある。
さらに、サルカン１６は既知の構成であり、ライン１２とハリス１５とを連結するが、このサルカン１６が使用されずに、ライン１２とハリス１５とが直結される場合もある。
【００１９】
本実施形態の特徴とするところは、上記重錘１０の構造であり、この重錘１０によれば、釣人は、重錘１０の重量を簡単且つ正確に調整することができるようになっている点である。
図２は、この重錘１０を含む釣用重錘セット２１の構成を示している。
この釣用重錘セット（以下、単に「重錘セット」と称される。）２１は、上記重錘１０と、重錘１０の長さを正確に規定するための定規２２とを備えている。
なお、同図では、重錘１０は、断面図として描かれている。
【００２０】
重錘１０は、例えばステンレス鋼等からなる線材（線状部材）２３が、同図が示すように、コイル状に巻回されて構成されている。したがって、重錘１０は、全体として、略円筒状に形成されている。
重錘１０の材質は、上記ステンレス鋼に限定されるものではなく、その他の金属（特に、鉛等）、特殊な合金のほか、これらと同様の比重に調整された樹脂やゴム等も採用され得る。
【００２１】
重錘１０の全長Ｌは、１０ｍｍ〜５００ｍｍの範囲で適宜設定される。線材２３の素線径ｄは、０．１ｍｍ〜２ｍｍの範囲で適宜設定される。また、線材２３のピッチｐは、０．１ｍｍ〜１０ｍｍの範囲で適宜設定される。さらに、重錘１０の内径Ｄは、１ｍｍ〜１０ｍｍの範囲で適宜設定される。
重錘１０がかかる寸法に設定されることにより、重錘１０が鉛により構成される場合は、その重量は、０．３ｇ〜３４０ｇ程度に調整される。
【００２２】
特に、本実施形態では、上記各寸法は、Ｌ＝３００ｍｍ、ｄ＝０．２ｍｍ、ｐ＝１．０ｍｍ、Ｄ＝１．０ｍｍに設定されている。これにより、重錘１０は、その重量が０．４２ｇに設定される。
【００２３】
定規２２は、例えば樹脂の平板からなり、目盛部２４と、把手部２５とを有する。もっとも、定規２２を構成する材料は、樹脂のほか、金属や紙等も採用され得る。釣人は、把手部２５を把持することによって、定規２２を操作することができる。
目盛部２４は、重錘１０の側面に当接される直線部２６と、直線部２６の両端部に、当該直線部２６に対して直交する方向に延設された位置決め部２７とを有する。また、目盛部２４には、所定間隔ｓで目盛２８が刻まれている。本実施形態では、目盛２８の間隔ｓは、上記重錘１０を構成する線材２３のピッチｐに対応されているが、目盛の間隔ｓは、これに限定されるものではなく、例えば、目盛の間隔ｓの整数倍が上記ピッチｐに対応するように設定されていてもよい。
この定規２２の使用要領については、後述される。
【００２４】
次に、本実施形態に係る重錘１０を用いた仕掛け１１の作成要領について説明される。
釣人は、ライン１２を釣竿１８の釣糸ガイド１９に挿通し、ウキ止め部材２０を取り付ける（図１参照）。次に、釣人は、ライン１２をその端部からウキ１３に挿通し、さらに、ライン１２を重錘１０に挿通する。さらに、釣人は、ライン１２にストッパー１７を装着し、ライン１２の端部をサルカン１６の一方側に結びつけ、サルカン１６の他端側にハリス１５を結びつける。最後に、釣針１４をハリス１５の端部に結びつける。
【００２５】
仕掛け１１が作成されると、釣人は釣りを開始するのであるが、釣り場の状況（風、波の状態等）によっては、釣人は、仕掛け１１全体としての重量を大きくしたり小さくしたりする必要がある。
仕掛け１１全体としての重量がさらに重くされる必要がある場合は、釣人は、一旦重錘１０を取り外す。このとき、重錘１０は、コイル状に形成されているから、釣人は、ライン１２を手に取り、当該ライン１２を隣り合う線材２３間の隙間２９（図２参照）に沿って螺旋状にスライドさせることによって、簡単に重錘１０をライン１２から取り外すことができる。
【００２６】
そして、釣人は、他の種類の重錘（全長Ｌや素線径ｄ等が異なる他の重錘）を再びライン１２に装着する。この場合において、釣人は、上記重錘１０を取り外す作業と同様に、ライン１２を手に取り、当該ライン１２を隣り合う線材間の隙間に沿って螺旋状にスライドさせることによって、簡単に当該重錘をライン１２に取り付けることができる。
【００２７】
また、仕掛け１１全体としての重量が軽くされる必要がある場合は、釣人は、重錘１０を手に取り、コイル状に巻回された線材２３の一部を切断する。
本実施形態では、線材２３の素線径ｄは、前述のようにきわめて小さく設定されているから、線材２３の単位長さあたりの重量はきわめて小さい。また、釣人は、線材２３の素線径ｄを知ることによって、コイル状に巻回された線材２３を１巻き切断した場合の重錘１０の減量の程度を把握することができる。したがって、釣人は、線材２３を少しづつ切断することによって、重錘１０の重量調整を簡単に且つ高精度に行うことができる。しかも、線材２３の素線径ｄがきわめて小さいので、釣人は、通常のラインカッター等により線材２３を簡単に切断することができる。
線材２３が切断されることによって、重錘１０は減量され、その結果、仕掛け１１全体としての重量は軽くなる。
【００２８】
このように、本実施形態に係る重錘１０によれば、釣人は、ライン１２を切断することなく、重錘１０の重量を簡単且つ正確に調整することができる。
しかも、線材２３が特に鉛により構成される場合は、釣人は、重錘１０の重量調整の後、重錘１０の端部を指等で摘んで変形させることが可能である。これにより、ライン１２は、重錘１０によって挟持され、その結果、重錘１０は、ライン１２に対して固定されるという利点がある。
【００２９】
なお、本実施形態では、仕掛け１１が作成される際に重錘１０が組み込まれるが、仕掛け１１が作成された後に、必要に応じて重錘１０がライン１２に取り付けられてもよいことは勿論である。その場合であっても、前述された要領で重錘１０が取り付けられ、重錘１０の重量調整が必要なときは、前述された要領で線材２３が切断される。
【００３０】
さらに、本実施形態では、上記定規２２が設けられているので、釣人は、重錘１０の重量調整が一層容易である。
具体的には、釣人は、重錘１０を減量する際には、定規２２を手に取り、重錘１０の端部に定規２２の位置決め部２７を当接させた状態で、直線部２６を重錘１０の側面に当接させる。このとき、直線部２６に目盛２８が刻まれているから、釣人は、この目盛２８を基準にして線材２３を切断する。これにより、線材２３は、きわめて正確に釣人の所望の長さだけ切断され、重錘１０は、一層高精度に重量調整がなされる。
【００３１】
次に、本実施形態の変形例について説明される。
図３は、本実施形態の変形例に係る重錘３０の拡大正面図である。
本変形例に係る重錘３０が上記実施形態に係る重錘１０と異なるところは、同図が示すように、重錘３０に色彩Ａ、色彩Ｂ（目印）が付されている点である。なお、その他の構成については、上記重錘１０と同様である。
【００３２】
本変形例では、重錘３０の左端から線材２３の２ピッチごとに、色彩Ａ、色彩Ｂが交互に付されている。
本変形例では、色彩Ａ、色彩Ｂが線材２３の全体に付されているが、色彩が線材２３の一部のみに目印的に付されている場合であってもよく、また、色彩に代えて、線材２３に所要の刻印が付されていてもよい。要するに、線材２３について、２ピッチごとに区分けされていることが釣人が把握することができる何らかの目印が施されていればよい。
なお、本変形例では、上記色彩Ａ、色彩Ｂによって、線材２３には、２ピッチごとに区分けされているが、線材２３の区画は、１ピッチでもよく、また他のピッチごとであってもよいことは勿論である。
【００３３】
このように、色彩Ａ、色彩Ｂによって線材２３が所定長さごとに区分けされるが、この区分けは、線材２３の単位重量を表示することにもなる。また、線材２３の区分けが所定ピッチごとになされることにより、１つの区分けが、例えば、各種ガン玉に相当する重量を表示するように設定される。
これにより、釣人は、色彩Ａ、色彩Ｂを目印として、これを基準に線材２３を正確に切断することができ、その結果、重錘３０の重量を正確に調整することができる。
【００３４】
加えて、上記重錘１０、３０は、前述のように、全体として略円筒状に形成されているから、ライン１２や、場合によってはハリス１５を被服することができる。その結果、ライン１２等が水中の障害物に接触するおそれがある場合であっても、ライン１２等を保護することができるという利点がある。特に、ライン１２とハリス１５とが直結される場合には、この連結部分に重錘１０、３０が配置されることにより、当該連結部分が効果的に保護される。
さらに、図１が示すように、ウキ１３の下方に重錘１０、３０が配置されることにより、ウキ１３が移動（下降）した場合に、クッション部材として機能し、ウキ１３の損傷が防止されるという利点もある。
【００３５】
【発明の効果】
以上のように本発明によれば、釣用重錘は、線状部材がコイル状に巻回されて構成されるから、釣人は、線状部材を所望の長さだけ切断することによって、正確且つ高精度に釣用重錘の重量を調整することができる。しかも、釣用重錘は、かかる構造であるから、製造がきわめて容易であり、製造コストは、低く抑えられるという利点がある。
【図面の簡単な説明】
【図１】図１は、本発明の一実施形態に係る釣用重錘が取り付けられた釣用仕掛けの正面図である。
【図２】図２は、本発明の一実施形態に係る重錘を含む釣用重錘セットの構成を示す図である。
【図３】図３は、本実施形態の変形例に係る重錘の拡大正面図である。
【符号の説明】
１０・・・重錘
１１・・・仕掛け
１２・・・ライン
１３・・・ウキ
１４・・・釣針
１５・・・ハリス
１６・・・サルカン
１７・・・ストッパー
２０・・・ウキ止め部材
２１・・・重錘セット
２２・・・定規
２３・・・線材
２４・・・目盛部
２５・・・把手
２６・・・直線部
２７・・・位置決め部
２８・・・目盛
２９・・・隙間
３０・・・重錘
Ｌ・・・全長
ｐ・・・ピッチ
ｄ・・・素線径
Ｄ・・・内径
Ａ・・・色彩
Ｂ・・・色彩
【図１】
2004275132.tif 000003
【図２】
2004275132.tif 000004
【図３】
2004275132.tif 000005